【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
反転入力と非反転入力とを有する増幅器と、
前記増幅器の前記反転入力に結合されるキャパシタと、
第１のスイッチと第２のスイッチとを有する入力電圧搬送制御回路であって、前記第１のスイッチが前記キャパシタに結合され、前記第２のスイッチが前記増幅器の前記非反転入力に結合される、前記入力電圧搬送制御回路と、
第３のスイッチと第４のスイッチとを有する基準電圧搬送制御回路であって、共有ノードが前記第３のスイッチと前記第４のスイッチとの間に結合され、前記第４のスイッチが前記増幅器の前記非反転入力に結合される、前記基準電圧搬送制御回路と、
前記増幅器の出力に結合される第５のスイッチと、
第６のスイッチと第７のスイッチとを有する漏れ制御回路であって、前記第６のスイッチが前記増幅器の反転入力と前記第５のスイッチとの間に結合され、前記第７のスイッチが前記第６のスイッチと前記キャパシタとに結合される、前記漏れ制御回路と、
前記増幅器の出力から前記第１のスイッチに結合される第１のレジスタと、
を含む装置であって、
前記第１のレジスタがフィードバックレジスタである、装置。
【請求項２】
請求項１に記載の装置であって、
前記基準電圧搬送制御回路の前記共有ノードが更に、基準電圧の正の出力に結合される、装置。
【請求項３】
請求項１に記載の装置であって、
開であるとき前記第６のスイッチが、前記第７のスイッチの閉じているスイッチ電圧と前記キャパシタ電圧の合計に実質的に等しい電圧を有する、装置。
【請求項４】
請求項３に記載の装置であって、
前記キャパシタの電圧が、開であるとき前記第６のスイッチの前記電圧に比例する電流をそれにブリーディングしており、電圧が、前記キャパシタ電圧に合計された前記第７のスイッチの前記閉じているスイッチ電圧に実質的に等しい、装置。
【請求項５】
請求項１に記載の装置であって、
前記入力電圧搬送制御回路の前記第１及び第２のスイッチが、前記基準電圧搬送制御回路の前記第３及び第４のスイッチとは反対の論理状態にあり、前記漏れ制御回路の前記第６のスイッチが前記基準電圧搬送制御回路と同じ論理状態にあり、前記漏れ制御回路の前記第７のスイッチが前記入力電圧搬送制御回路と同じ論理状態にある、装置。
【請求項６】
請求項１に記載の装置であって、
前記第１のレジスタに結合される第２のレジスタを更に含み、前記第２のレジスタが接地にも結合される、装置。
【請求項７】
反転入力と非反転入力とを有するオートゼロ増幅器を含むシステムであって、
前記オートゼロ増幅器の前記反転入力に結合されるキャパシタと、
第１のスイッチと第２のスイッチとを有する入力電圧搬送制御回路要素であって、前記第１のスイッチが前記キャパシタに結合され、前記第２のスイッチが前記オートゼロ増幅器の前記非反転入力に結合される、前記入力電圧搬送制御回路要素と、
第３のスイッチと第４のスイッチとを有する基準電圧搬送制御回路であって、共有ノードが前記第３のスイッチと前記第４のスイッチとの間に結合され、前記第４のスイッチが前記オートゼロ増幅器の前記非反転入力に結合される、前記基準電圧搬送制御回路と、
前記オートゼロ増幅器の出力に結合される第５のスイッチと、
第６のスイッチと第７のスイッチとを含む漏れ制御回路であって、前記第６のスイッチが前記オートゼロ増幅器の反転入力と前記第５のスイッチとの間に結合され、前記第７のスイッチが前記第６のスイッチと前記キャパシタとに結合される、前記漏れ制御回路と、
前記オートゼロ増幅器の出力から前記第１のスイッチに結合される第１のレジスタであって、前記第１のレジスタがフィードバックレジスタである、前記第１のレジスタと、
前記第１のレジスタから接地に結合される第２のレジスタと、
前記接地と前記基準電圧搬送制御回路との間に結合される基準電源と、
を含み、
前記基準電圧搬送制御回路の共有ノードが更に前記基準電圧の正の出力に結合される、システム。
【請求項８】
請求項７に記載のシステムであって、
前記第３、第４、第５及び第６のスイッチが同じ時間に閉状態であり、前記第１、第２及び第７のスイッチがその同じ時間に開状態である、システム。
【請求項９】
請求項７に記載のシステムであって、
前記第３、第４、第５及び第６のスイッチが同じ時間に開であり、前記第１の第２及び第７のスイッチがその同じ時間に開状態である、システム。
【請求項１０】
請求項７に記載のシステムであって、
開であるとき前記第６のスイッチが、前記第７のスイッチの閉じているスイッチ電圧と前記キャパシタ電圧の合計に実質的に等しい電圧を有する、システム。
【請求項１１】
請求項７に記載のシステムであって、
前記キャパシタの電圧が、開であるとき前記第６のスイッチの前記電圧に比例する電流をそれにブリーディングしており、その電圧が、前記キャパシタの前記電圧と合計された前記第７のスイッチの閉じているスイッチ電圧に実質的に等しい、システム。
【請求項１２】
請求項７に記載のシステムであって、
前記オートゼロ増幅器がシングルエンド増幅器である、システム。
【請求項１３】
反転入力と非反転入力と同相電圧入力とを有するオートゼロ差動増幅器を含むシステムであって、
前記増幅器の反転入力に結合されるハイサイドオートゼロキャパシタと、
前記増幅器の非反転入力に結合されるローサイドオートゼロキャパシタと、
ハイサイド第１スイッチとハイサイド第２スイッチとを有するハイサイド入力電圧搬送制御回路であって、前記ハイサイド第１スイッチが前記ハイサイドキャパシタに結合され、前記ハイサイド第２スイッチが前記増幅器の反転入力に結合される、前記ハイサイド入力電圧搬送制御回路と、
ローサイド第１スイッチとローサイド第２スイッチとを有するローサイド入力電圧搬送制御回路であって、前記ローサイド第１スイッチが前記ローサイドキャパシタに結合され、前記ローサイド第２スイッチが前記増幅器の非反転入力に結合される、前記ローサイド入力電圧搬送制御回路と、
ハイサイド第３スイッチとハイサイド第４スイッチとを有するハイサイド基準電圧搬送制御回路であって、共有ノードが前記ハイサイド第３スイッチと前記ハイサイド第４スイッチとの間に結合され、前記増幅器の反転入力が前記ハイサイド第４スイッチに結合される、前記ハイサイド基準電圧搬送制御回路と、
ローサイド第３スイッチとローサイド第４スイッチとを有するローサイド基準電圧搬送制御回路であって、共有ノードが前記ローサイド第３のスイッチと前記ローサイド第４スイッチとの間に結合され、前記ローサイド第４のスイッチが前記増幅器の非反転入力に結合される、前記ローサイド基準電圧搬送制御回路と、
前記増幅器の正の出力に結合されるハイサイド第５スイッチと、
前記増幅器の負の出力に結合されるローサイド第５スイッチと、
ハイサイド第６スイッチとハイサイド第７スイッチとを有するハイサイド漏れ制御回路であって、前記ハイサイド第６スイッチが前記増幅器の反転入力と前記ハイサイド第５スイッチとの間に結合され、前記ハイサイド第７スイッチが前記ハイサイド第６のスイッチと前記ハイサイドキャパシタとに結合される、前記ハイサイド漏れ制御回路と、
ローサイド第６スイッチとローサイド第７スイッチとを有するローサイド漏れ制御回路であって、前記ローサイド第６スイッチが前記増幅器の非反転入力と前記ローサイド第５スイッチとの間に結合され、前記ローサイド第７スイッチが前記ローサイド第６スイッチと前記ローサイドキャパシタとに結合される、前記ローサイド漏れ制御回路と、
を含む、システム。
【請求項１４】
請求項１３に記載のシステムであって、
前記増幅器の前記正の出力から前記ハイサイド第１スイッチの出力に結合されるハイサイド第２キャパシタを更に含む、システム。
【請求項１５】
請求項１４に記載のシステムであって、
前記ハイサイド第１スイッチとハイサイド入力電圧との間に結合されるハイサイド第３キャパシタと、
前記ローサイド第１スイッチとローサイド入力電圧との間に結合されるローサイド第３キャパシタと、
を更に含む、システム。
【請求項１６】
請求項１３に記載のシステムであって、
開であるとき前記ハイサイド第６スイッチが、前記ハイサイド第７スイッチの閉じているスイッチ電圧と前記ハイサイドオートゼロキャパシタ電圧の合計に実質的に等しい電圧を有する、システム。
【請求項１７】
請求項１６に記載のシステムであって、
どちらかのキャパシタの電圧が、開であるときそれぞれの前記第６のスイッチの電圧をそれにブリーディングしており、電圧が、それぞれの前記第７のスイッチの閉じているスイッチ電圧に実質的に等しい、システム。